(57)【要約】【課題】非接触ＩＣカードの読ませ方にあって「タッチ・アンド・ゴー」が定着するなか、非接触ＩＣカードや非接触ＩＣタグの機能が組み込まれたモバイル機器が扱われる場合、モバイル機器を非接触の読み書き装置に当ててしまい易く、モバイル機器のみならず非接触の読み書き装置に傷を付けたり、装置内部の電気回路に損傷を与える原因となっていた。【解決手段】フレキシブルな略平面状のアンテナ部２と、内部に信号処理部を有するＩＣカードリーダケース１とを備え、前記アンテナ部２を湾曲させて凸形状とし、前記アンテナ部２の凸部分が前記カードリーダケース１に接することなく前記アンテナ部２を前記カードリーダ本体１に取り付ける。【選択図】  図１
2004240718.tif 000002
【特許請求の範囲】
【請求項１】
アンテナを可撓性材料で覆った略平面状のアンテナ部と、内部に信号処理部を有するＩＣカードリーダケースとを備え、前記アンテナ部を湾曲させて凸形状とし、前記アンテナ部の凸部分が前記カードリーダ本体に接することなく前記アンテナ部を前記カードリーダ本体に取り付けた非接触ＩＣカードリーダ。
【請求項２】
アンテナ部はカードリーダ本体を分解することなくコネクタ部での接続により交換可能である請求項１記載の非接触ＩＣカードリーダ。
【請求項３】
アンテナと信号処理部とを内部に収納したカードリーダケースと、前記カードリーダケース表面のＩＣカード読み取り面に設けられ、かつ読み取り位置を表示した保護シートとを備えた非接触ＩＣカードリーダ。
【請求項４】
保護シートは交換可能である請求項３記載の非接触ＩＣカードリーダ。
【請求項５】
保護シートは複数枚のシートを積層して構成され、１枚ずつ剥がすことが可能な請求項３記載の非接触ＩＣカードリーダ。
【発明の詳細な説明】
【０００１】
【発明の属する技術分野】
本発明は、非接触ＩＣカードや非接触ＩＣタグ機能を有するモバイル機器等とデータの読み取りおよび書き込みを行う非接触ＩＣカードリーダに関するものである。
【０００２】
【従来の技術】
近年、様々なアプリケーションの応用として非接触ＩＣカードや非接触ＩＣタグの機能を搭載したモバイル機器等の使用による利便性の拡大が期待されてきた。
【０００３】
従来の非接触式ＩＣカードや非接触ＩＣタグの読み書きは、通常、機器にかざす形で行われるものであった。従って、非接触式ＩＣカードや非接触ＩＣタグおよびその読み書き装置には本来傷などが付きにくいものであった。
【０００４】
一方、非接触ＩＣカードの読み取りの成功率を上げる方法として、「タッチ・アンド・ゴー」と称されるカードの読ませ方が特に駅改札のシステムなどで一般化してきた。これはエンドユーザの読み書きの仕方に大きなばらつきがあり、読み書きが出来ない場合が多発したために考え出されたもので、読み取り領域内にカードを確実に誘導し、かつ読み書きに必要な時間が確保される読ませ方で、一旦カードを非接触ＩＣカードリーダに敢えて当接させるもので最近急速に定着してきた。
【０００５】
図３は、従来の非接触ＩＣカードリーダの例で、内部に信号処理部およびアンテナを有するカードリーダケース５に直接印刷された読み取り位置マーク１１があり、非接触ＩＣカードあるいはモバイル端末機器は読み取り位置マーク１１部分に近接あるいは当接され、読み書きができる領域内で必要な読み書き時間滞在させることでデータの読み取りや書き込みを行うものである。
【０００６】
また、機器の表面の保護に保護用シートを張り付けた例として、ケースの全面に超音波振動子を設け、この超音波振動子の整合層表面が前記ケース全面と同一平面となるように露出された超音波検出装置において、前記ケース全面の少なくとも超音波振動子の整合表面に密着する保護シートを張り付けたものが知られている（例えば特許文献１参照）。
【０００７】
【特許文献１】
実開平２−１４０８３号公報
【０００８】
【発明が解決しようとする課題】
しかし、この「タッチ・アンド・ゴー」が定着するなか、非接触ＩＣカードや非接触ＩＣタグの機能が組み込まれたモバイル機器が扱われる場合、モバイル機器を非接触の読み書き装置に当ててしまう場合があり、モバイル機器のみならず非接触の読み書き装置に傷を付けたり、電気的損傷を与える原因となり、また傷などを治すためには機器のケースを取り替えるなど面倒な作業が必要という課題を有していた。
【０００９】
本発明は、非接触ＩＣカードやタグの機能が組み込まれたモバイル機器等を読取書込装置に読み書きさせる場合に、この非接触の読み書き装置に傷が付きにくくし、また、傷が付いても容易に修復が図れる装置を提供することを目的とする。
【００１０】
【課題を解決するための手段】
本発明の非接触ＩＣカードリーダは、上記課題を解決するために、アンテナを可撓性材料で覆った略平面状のアンテナ部と、内部に信号処理部を有するカードリーダケースとを備え、前記アンテナ部を湾曲させて凸形状とし、前記アンテナ部の凸部分が前記カードリーダ本体に接することなく前記アンテナ部を前記カードリーダ本体に取り付けたものである。
【００１１】
更にはアンテナ部はカードリーダ本体を分解することなく交換可能なようにコネクタ部での接続を行えるようにしたものである。
【００１２】
本発明の非接触ＩＣカードリーダは、上記課題を解決するために、アンテナと、前記アンテナを内部に収納したカードリーダケースと、前記カードリーダケース表面のＩＣカード読み取り面に設けられ、かつ読み取り位置を表示した保護シートとを備えたものである。
【００１３】
更には保護シートは交換可能にしたもの、あるいは保護シートを複数枚のシートを積層して構成し、１枚ずつ剥がすことが可能なようにしたものである。
【００１４】
【発明の実施の形態】
（実施の形態１）
図１の非接触ＩＣカードリーダにおいて、１は内部に信号処理部を有するカードリーダケース、２はアンテナを可撓性材料で覆った略平面状のアンテナ部、３はアンテナ部２をカードリーダケース１に取り付けカードリーダケース１内の信号処理部とアンテナ部２との信号の伝達を可能とするコネクタ部、４は非接触ＩＣカードあるいは非接触ＩＣタグ機能を有しアンテナ部２により情報を読み取られるモバイル端末機器である。
【００１５】
ここで、アンテナ部２は湾曲してカードリーダケース１に取り付けられ、アンテナ部２には必要に応じてモバイル携帯端末４を近接あるいは接触させて読み取りを行わせる読み取り位置が印刷される。
【００１６】
また、モバイル端末機器４をアンテナ部２に近接あるいは接触させ、読み書きができる領域内で必要な読み書き時間滞在させることでデータの読み取りや書き込みを行うものである。
【００１７】
また、アンテナ部２の一端をコネクタ部３に取り付け、他端をカードリーダケース１に施された溝や引っ掛け構造部分にはめ込む構成とし、カードリーダケース１を分解することなくアンテナ部２をコネクタ部３から取り外したり再接続したりしてもよい。
【００１８】
以上のように構成した非接触ＩＣカードリーダにおいて、アンテナ部２を湾曲させて凸形状とし、アンテナ部２の凸部分がカードリーダケース１に接することなくアンテナ部２をカードリーダケース１に取り付けることにより、モバイル端末機器４がアンテナ部２に当てられても、アンテナ部２がたわむことにより衝撃を回避しモバイル端末機器４およびアンテナ部２を傷や破損から守ることができる。
【００１９】
なお、アンテナ部２を湾曲させて凸形状としたが、アンテナ部２を略半球状としてもよい。
【００２０】
また、情報の読み書きは、読み書き可能な空間内に、情報の読み書きに必要な時間モバイル端末機器４が滞在していることが必要で、前記空間内に滞在する時間を長くとり得ることが不特定多数の取扱者が安定的に情報の処理を行える要件になる。従って、アンテナ部２がたわんでいる間、すなわちモバイル端末機器４の移動時間も読み書き時間に加えられ読み書き時間の増加となることは、不特定多数の取扱者がより確実で安定した処理ができることとなる。
【００２１】
さらに、アンテナ部２をコネクタ部３によりカードリーダケース１を分解することなく取り外しや再接続や交換が可能な構成としたことで、前述のモバイル端末機器４の多数回の当接によるスリ傷などによる汚れでの外観劣化が生じた場合も、容易に最新のアンテナに取り替えることが可能となり、外観の修復あるいは新しいデザイン品へのリニューアルができる。
【００２２】
また、アンテナ部２を湾曲させずに略平面状のままとし、このアンテナ部２をカードリーダケース１のアンテナ部２を取り付ける面に対して略垂直になるようにコネクタ部３に取り付けたものも前記と同様の効果を得ることができる。すなわち、前述のアンテナ部２を湾曲させて凸形状とし、アンテナ部２の凸部分がカードリーダケース１に接することなくアンテナ部２をカードリーダケース１に取り付けたものより、アンテナ部２のたわみが大きく取れるためモバイル端末機器４をアンテナ部２に当てた場合、アンテナ部２がたわんでいる間、すなわちモバイル端末機器４の移動時間が更に多く得られ、読み書き時間に加えられ読み書き時間の増加となるため、より確実で安定した処理ができることとなる。
【００２３】
（実施の形態２）
本実施の形態において、実施の形態１と同様の箇所については同一の符号を付して詳細な説明を省略する。
【００２４】
図２の非接触ＩＣカードリーダにおいて、５は内部に信号処理部およびアンテナを有するカードリーダケース、６はカードリーダケース表面のＩＣカード読み取り面に設けられ、かつ読み取り位置マーク１１を表示した保護シートである。実施の形態１と異なるのは、アンテナがカードリーダケース５に内蔵され、さらに、モバイル端末機器４とカードリーダケース５の当接による傷や破損を避けるための保護シート６がカードリーダケース５の読み取り面に張り付けられ、この保護シート６に読み取り位置マーク１１を表示した点である。
【００２５】
なお、保護シート６は交換可能にしたものとし、保護シート６は複数枚のシートを積層して構成され、１枚ずつ剥がすことが可能な形態にしてもよい。または、別の台紙の形態で保有していてもよいし、保護シート６の予備をカードリーダケース５の読み取りを行わない裏面等に張り付けておいてもよい。
【００２６】
ここで、別の台紙の形態とは、剥がすことが可能な台紙に張り付けられた保護シートの予備で取り扱い説明書などと一緒に同梱しておく方法である。
【００２７】
以上のように構成された非接触ＩＣカードリーダとすることで、モバイル端末機器４とカードリーダケース５との当接による傷や電気的損傷を防止することができる。
【００２８】
また、保護シート６を交換可能にすることで、モバイル端末機器４の多数回の当接によるスリ傷などによる汚れでの外観劣化が生じた場合も、容易に予備の保護シート６に取り替え可能となり、外観の修復あるいは新しいデザイン品へのリニューアルが可能となる。
【００２９】
さらに、保護シート６を複数枚のシートを積層して構成し、１枚ずつ剥がすことが可能な形にすることで、修復あるいはリニューアルがより容易となる。そして、各シートの表示を異なる形にしておくことで新規なデザインへのリニューアルも可能となる。
【００３０】
【発明の効果】
以上のように、本発明の非接触ＩＣカードリーダによれば、アンテナを可撓性材料で覆った略平面状のアンテナ部と、内部に信号処理部を有するカードリーダケースとを備え、前記アンテナ部を湾曲させて凸形状とし、前記アンテナ部の凸部分が前記カードリーダ本体に接することなく前記アンテナ部を前記カードリーダ本体に取り付けた非接触ＩＣカードリーダとすることにより、モバイル端末機器がアンテナ部に当てられても、アンテナ部がたわむことにより衝撃を回避しモバイル端末機器およびアンテナ部を傷や破損から守ることができる。
【図面の簡単な説明】
【図１】本発明の非接触ＩＣカードリーダの実施の形態１における概略構成図
【図２】本発明の非接触ＩＣカードリーダの実施の形態２における概略構成図
【図３】従来の非接触ＩＣカードリーダの概略構成図
【符号の説明】
１  カードリーダケース
２  アンテナ部
３  コネクタ部
４  モバイル端末機器
５  カードリーダケース
６  保護シート
１１  読み取り位置マーク
【図１】
2004240718.tif 000003
【図２】
2004240718.tif 000004
【図３】
2004240718.tif 000005